(57)【要約】【課題】シャッター装置を取り外した際の外壁面の修復を容易にすることを可能とする。【解決手段】建物躯体１５から突出して開口部１７を囲むサッシ枠１３と、サッシ枠１３の突出先端よりも低くなる厚みを有して躯体１５に施工され且つサッシ枠１３の外周を囲む間隙２３，２５，２７，２９を介しサッシ枠１３の４辺から離間する外壁仕上げ材２１と、サッシ枠１３の各辺に沿う間隙２３，２５，２７，２９の底で表出する躯体１５のそれぞれに固定され、外壁仕上げ材２１よりも小さい高さで起立する係止片３９とねじ固定片４１が形成された基板３１，３３，３５，３７と、係止片３９とねじ固定片４１に固定され表面Ｓが外壁仕上げ材２１と略面一となって間隙２３，２５，２７，２９を塞いでそれぞれの基板３１，３３，３５，３７に応じ着脱自在に固定され、表面Ｓにはシャッター装置１１の構成部材が螺着される化粧下地板４３，４５，６１，６３と、を設けた。【選択図】  図２
2020033703.tif 000002
【特許請求の範囲】
【請求項１】
建物の躯体から突出して開口部を囲む四角形の枠材と、
前記枠材の突出先端よりも低くなるように所定の厚みを有して前記躯体に施工され且つ前記枠材の外周を囲む間隙を介し前記枠材の４辺から離間する外壁仕上げ材と、
前記枠材の各辺に沿う４つの前記間隙の底で表出する前記躯体のそれぞれに固定され、前記外壁仕上げ材の施工厚よりも僅かに小さい高さを有して起立する係止片及びねじ固定片が形成された複数の基板と、
前記係止片及び前記ねじ固定片に固定されることにより表面が前記外壁仕上げ材と略面一となって前記間隙を塞いでそれぞれの前記基板に応じ着脱自在に固定され、前記表面には構造体の構成部材が螺着される複数の化粧下地板と、
を具備することを特徴とする建物開口部の構造体取付構造。
【請求項２】
前記構造体が、シャッター装置であり、
前記構成部材が、上側の前記化粧下地板に螺着されるシャッター収納部と、左右の前記化粧下地板に螺着される一対のガイドレール枠と、下側の前記化粧下地板に螺着される下枠と、の４部材を具備することを特徴とする請求項１に記載の建物開口部の構造体取付構造。
【請求項３】
前記化粧下地板の表面が、前記外壁仕上げ材の仕上げ面に合わせた意匠面で形成されていることを特徴とする請求項１または２に記載の建物開口部の構造体取付構造。
【発明の詳細な説明】
【技術分野】
【０００１】
本発明は、建物開口部の構造体取付構造に関する。
【背景技術】
【０００２】
建物開口部である例えば窓の周囲には、シャッター装置などの構造体が取り付けられることがある（特許文献１、２等参照）。例えばシャッター装置は、建物躯体の構造部分である柱や梁などに対して、ビスなどを用いて固定される。特許文献１のシャッター装置では、同文献の図６、図１１、図１２に示すように、車両出入口（建物開口部）の周囲の躯体に、車庫用シャッター装置の各構成部材が固定され、その周りにサイディングなどの外壁が施工される。特許文献２のシャッターケースの取付構造では、同文献の図３に示すように、躯体に施工された建物外壁の表面に、シャッター装置の構成部材であるシャッターケースが固定される。
【先行技術文献】
【特許文献】
【０００３】
【特許文献１】特開２０１４−１３６９０３号公報
【特許文献２】特開２０００−９６９５１号公報
【発明の概要】
【発明が解決しようとする課題】
【０００４】
しかしながら、シャッター装置は、例えば寿命、或いは、故障などにより交換する場合がある。シャッター装置の各構成部材が躯体に固定された特許文献１のような構造では、その周りにサイディングなどの外壁が施工される。既設のシャッター装置を躯体から取り外し、新たなものを取り付けると、当初仕上げられていたサイディングなどの一部が欠損する虞がある。そのため、サイディングなどを修復する必要が生じ、費用が嵩む問題があった。また、各構成部材が躯体に固定された構造では、シャッター装置を撤去すると、外壁が当初から無いため、躯体が表出する。このため、新たに外壁を施工する必要があり、この場合にも費用が嵩む問題があった。
一方、シャッター装置の各構成部材が仕上げられた外壁の表面に固定される特許文献２のような例もあるが、その場合は、取外し後の外壁にビス穴が残る。そのため、同様に外壁の修復が必要であり、修復の程度によって外壁の交換となることもあって、この場合にも費用が嵩む問題があった。
【０００５】
本発明は上記状況に鑑みてなされたもので、その目的は、シャッター装置などの構造体を取り外した際に、その取付面である外壁面の修復を容易にすることができ、新たな構造体を取り付けることのできる建物開口部の構造体取付構造を提供することにある。
【課題を解決するための手段】
【０００６】
次に、上記の課題を解決するための手段を、実施の形態に対応する図面を参照して説明する。
本発明の請求項１記載の建物開口部の構造体取付構造は、建物の躯体１５から突出して開口部１７を囲む四角形の枠材１３と、
前記枠材１３の突出先端よりも低くなるように所定の厚みを有して前記躯体１５に施工され且つ前記枠材１３の外周を囲む間隙２３，２５，２７，２９を介し前記枠材１３の４辺から離間する外壁仕上げ材２１と、
前記枠材１３の各辺に沿う４つの前記間隙２３，２５，２７，２９の底で表出する前記躯体１５のそれぞれに固定され、前記外壁仕上げ材２１の施工厚よりも僅かに小さい高さを有して起立する係止片３９及びねじ固定片４１が形成された複数の基板３１，３３，３５，３７と、
前記係止片３９及び前記ねじ固定片４１に固定されることにより表面Ｓが前記外壁仕上げ材２１と略面一となって前記間隙２３，２５，２７，２９を塞いでそれぞれの前記基板３１，３３，３５，３７に応じ着脱自在に固定され、前記表面Ｓには構造体１１の構成部材が螺着される複数の化粧下地板４３，４５，６１，６３と、
を具備することを特徴とする。
【０００７】
この建物開口部の構造体取付構造では、枠材１３の各辺に沿う４つの間隙２３，２５，２７，２９の底で表出する躯体１５に、４つの基板３１，３３，３５，３７が固定される。それぞれの基板３１，３３，３５，３７には、係止片３９及びねじ固定片４１が設けられる。これらの基板３１，３３，３５，３７の係止片３９及びねじ固定片４１には、化粧下地板４３，４５，６１，６３が固定される。基板３１，３３，３５，３７に固定された化粧下地板４３，４５，６１，６３は、外壁仕上げ材２１と枠材１３との間隙２３，２５，２７，２９を塞ぐ。４つの間隙２３，２５，２７，２９を塞いだそれぞれの化粧下地板４３，４５，６１，６３の表面Ｓは、外壁仕上げ材２１の表面と略面一となる。化粧下地板４３，４５，６１，６３は、外壁仕上げ材２１と略面一となることにより、外壁仕上げ材２１から連続して延出して枠材１３の外周に突き当てられる。このため、化粧下地板４３，４５，６１，６３は、取り付けられたままの状態でも違和感が生じない。この化粧下地板４３，４５，６１，６３には、構造体１１の各構成部材が、ねじ固定（螺着）可能となる。構造体１１は、交換が生じると、化粧下地板４３，４５，６１，６３から取り外される。この際、構造体１１は、化粧下地板４３，４５，６１，６３に対してのみの取り合いとなり、外壁仕上げ材２１とは縁が切れているので、当初仕上げられていた外壁仕上げ材２１を欠損等させずに済む。このため、外壁仕上げ材２１を修復する必要がなく、構造体１１の交換に伴う付帯工事を簡略化できる。また、構造体１１を撤去したままの状態とする場合においても、ねじ孔の空いた化粧下地板４３，４５，６１，６３のみを新規のものに交換すればよい。このため、新たに外壁を施工しなくても、躯体１５が表出せず、構造体１１の撤去に伴う付帯工事を簡略化できる。
【０００８】
本発明の請求項２記載の建物開口部の構造体取付構造は、前記構造体が、シャッター装置１１であり、
前記構成部材が、上側の前記化粧下地板４３に螺着されるシャッター収納部７１と、左右の前記化粧下地板６１，６３に螺着される一対のガイドレール枠８９，９１と、下側の前記化粧下地板４５に螺着される下枠８３と、の４部材を具備することを特徴とする請求項１に記載の建物開口部の構造体取付構造。
【０００９】
この建物開口部の構造体取付構造では、構造体が、シャッター装置１１となる。シャッター装置１１は、構成部材として、シャッター収納部７１と、一対のガイドレール枠８９，９１と、下枠８３と、を具備する。シャッター収納部７１は、枠材１３の上側に取り付けられる。一対のガイドレール枠８９，９１は、枠材１３の左右に取り付けられる。下枠８３は、枠材１３の下側に取り付けられる。このため、シャッター収納部７１は、枠材１３の上側の間隙２３に固定された化粧下地板（上側化粧下地板４３）に固定される。一対のガイドレール枠８９，９１は、枠材１３の左右の間隙２５，２７に取り付けられた一対の化粧下地板（左側化粧下地板６１、右側化粧下地板６３）のそれぞれに固定される。下枠８３は、枠材１３の下側の間隙２９に固定された化粧下地板（下側化粧下地板４５）に固定される。これら、上側化粧下地板４３と、左側化粧下地板６１及び右側化粧下地板６３と、下側化粧下地板４５とは、構成部材すなわちシャッター収納部７１，ガイドレール枠８９，９４，下枠８３のそれぞれに応じ、延在方向に直交する幅寸法を変えて形成できる。これにより、建物の開口部１７の周囲に、外壁仕上げ材２１との縁を切りながら、シャッター装置１１の設置スペースを予め確保しておいたり、シャッター装置１１を設置や交換したりすることが可能となる。
【００１０】
本発明の請求項３記載の建物開口部の構造体取付構造は、前記化粧下地板４３，４５，６１，６３の表面Ｓが、前記外壁仕上げ材２１の仕上げ面に合わせた意匠面で形成されていることを特徴とする請求項１または２に記載の建物開口部の構造体取付構造。
【００１１】
この建物開口部の構造体取付構造では、外壁仕上げ材２１と略面一で連続する化粧下地板４３，４５，６１，６３の表面Ｓが、外壁仕上げ材２１の仕上げ面に合わせた意匠面で形成される。仕上げ面に合わせた意匠面は、例えば仕上げ面と同色とすることができる。また、意匠面は、例えば仕上げ面と同等の質感とすることができる。同等の質感の意匠面は、例えば仕上げ面と同一の素材を用いることができる。また、同等の質感の意匠面は、例えば仕上げ面と同色且つ同一の表面粗さとすることができる。
【発明の効果】
【００１２】
本発明に係る請求項１記載の建物開口部の構造体取付構造によれば、建物の外壁面としての外壁仕上げ材と構造体が取り付けられている面とは縁が切れて構成され、構造体を取り外す際には、構造体の取り付けられる化粧下地板とともに建物側から取り外すこととなり、その取り外しの際に外壁仕上げ材の欠損等を起こすことがなくなる。取り外された構造体に替わり新たな構造体を取り付ける際には、化粧下地板が新たに用意され躯体側に既に固定されている基板へ取り付けられることから、構造体の取り付け時に既設のねじ孔などが無く、取り付け施工の支障が起きない。このため、外壁仕上げ材を修復する必要がなく、構造体の交換に伴う付帯工事を簡略化できることとなる。また、構造体を撤去したままの状態とする場合においても、ねじ孔の空いた化粧下地板のみを新規のものに交換すればよい。このため、新たに外壁を施工しなくても、躯体が表出せず、構造体の撤去に伴う付帯工事を簡略化できる。
【００１３】
本発明に係る請求項２記載の建物開口部の構造体取付構造によれば、シャッター装置の構成部材であるシャッター収納部、一対のガイドレール枠、及び下枠を撤去した際の外壁面の修復等を容易にすることができる。
【００１４】
本発明に係る請求項３記載の建物開口部の構造体取付構造によれば、外壁仕上げ材と化粧下地板とに違和感が生じにくくなり、見栄えの低下が抑制でき、化粧下地板を取り付けたままとすることが可能となる。
【図面の簡単な説明】
【００１５】
【図１】本発明の実施形態に係る建物開口部の構造体取付構造を備えるシャッター装置の外観を表す斜視図である。
【図２】図１に示したシャッター装置と躯体の側断面図である。
【図３】上側化粧下地板及び下側化粧下地板の取り付け前の側断面図である。
【図４】上側化粧下地板及び下側化粧下地板の取り付け後の側断面図である。
【図５】シャッター収納部の取り付け説明図である。
【図６】左側化粧下地板及び左側ガイドレール枠と、右側化粧下地板及び右側ガイドレール枠の取り付け前の平断面図である。
【図７】左側化粧下地板及び左側ガイドレール枠と、右側化粧下地板及び右側ガイドレール枠の取り付け後の平断面図である。
【図８】構造体がオーニング装置である場合の建物開口部の構造体取付構造を表す側断面図である。
【発明を実施するための形態】
【００１６】
以下、本発明に係る実施形態を図面を参照して説明する。
図１は本発明の実施形態に係る建物開口部の構造体取付構造を備えるシャッター装置１１の外観を表す斜視図である。
本実施形態に係る建物開口部の構造体取付構造は、構造体が、シャッター装置１１となる。なお、構造体は、シャッター装置１１に限定されない。
【００１７】
建物開口部の構造体取付構造は、枠材と、外壁仕上げ材と、基板と、化粧下地板と、を主要な構成として有する。このうち、基板と化粧下地板とは、構造体を取り付けるための外壁仕上げ材と面一の取付枠を構成する。
【００１８】
本実施形態において、枠材は、住宅用のサッシ枠１３である。なお、枠材は、サッシ枠１３に限定されない。サッシ枠１３は、四角形に形成され、建物の躯体１５から突出して開口部１７を囲む。サッシ枠１３には、引き違いのサッシ窓１９が取り付けられる。
【００１９】
図２は図１に示したシャッター装置１１と躯体１５の側断面図である。
外壁仕上げ材は、例えばサイディング材２１となる。この他、外壁仕上げ材は、モルタル仕上げや、湿式工法或いは乾式工法により取り付けられるタイル等であってもよい。サイディング材２１は、サッシ枠１３の突出先端よりも低くなるように所定の厚み（施工厚）で躯体１５に施工される（図３参照）。このサイディング材２１は、サッシ枠１３の外周を囲む間隙を介し、サッシ枠１３の４辺から離間して施工される。この間隙は、サッシ枠上方の上側間隙２３（図３参照）、サッシ枠左右の左側間隙２５及び右側間隙２７（図６参照）、サッシ枠下方の下側間隙２９（図３参照）となる。なお、本明細書中、左右は、開口部１７より外を向き、左手側を左（図１において右側，図６において左側）、右手側を右（図１において左側，図６において右側）とする。
【００２０】
基板は、サッシ枠１３の各辺に沿う４つの間隙の底で表出する躯体１５のそれぞれに固定される。基板は、上側間隙２３の躯体１５に固定される上側基板３１（図３参照）、左側間隙２５及び右側間隙２７の躯体１５に固定される左側基板３３及び右側基板３５（図６参照）、下側間隙２９に固定される下側基板３７（図３参照）となる。これら上側基板３１、左側基板３３、右側基板３５、下側基板３７には、サイディング材２１の施工厚よりも僅かに小さい高さで起立する係止片３９及びねじ固定片４１が形成される。
【００２１】
上側基板３１，左側基板３３，右側基板３５，下側基板３７は、サッシ枠１３の各辺に沿う長さの長尺板状に形成される。上側基板３１，左側基板３３，右側基板３５，下側基板３７は、長手方向に直交し且つ躯体１５と平行な幅方向が、それぞれ異なる幅寸法で形成される。この幅寸法は、上側基板３１が大きく、左側基板３３、右側基板３５、下側基板３７が、上側基板３１よりも小さい。一方、上側基板３１、左側基板３３、右側基板３５、下側基板３７の長手方向に直交する断面形状は、係止片３９とねじ固定片４１の位置が逆となる他はほぼ同一とすることができる。
【００２２】
図３は上側化粧下地板４３及び下側化粧下地板４５の取り付け前の側断面図である。
上側基板３１は、固定ビス４７により躯体１５に固定される基板部４９を有する。上側基板３１は、基板部４９の幅方向（図３の上下方向）の下端に、サッシ枠１３に接する係止片３９が起立する。係止片３９は、起立先端に、上向きの爪部５１を有する。また、上側基板３１は、基板部４９の幅方向の上側に、サイディング材２１に近接してねじ固定片４１が起立する。ねじ固定片４１は、起立先端に、基板部４９と平行なねじ固定座部５３が形成される。上側基板３１は、ねじ固定片４１とサイディング材２１との隙間がストッパ材５５の上に充填されるコーキング剤５７により塞がれる。
【００２３】
下側基板３７は、固定ビス４７により躯体１５に固定される基板部５９を有する。下側基板３７は、基板部５９の幅方向（図３の上下方向）の上端に、サッシ枠１３に接するねじ固定片４１が起立する。ねじ固定片４１は、起立先端に、基板部５９と平行なねじ固定座部５３が形成される。また、下側基板３７は、基板部５９の幅方向の下側に、サイディング材２１に近接して係止片３９が起立する。係止片３９は、起立先端に、上向きの爪部５１を有する。下側基板３７は、係止片３９とサイディング材２１との隙間がストッパ材５５の上に充填されるコーキング剤５７により塞がれる。
【００２４】
化粧下地板は、ほぼ帯板状に形成される。化粧下地板は、係止片３９及びねじ固定片４１に固定されることにより、表面Ｓがサイディング材２１と略面一となる。それぞれの化粧下地板は、間隙を塞いで、それぞれの基板に応じ着脱自在に固定される。化粧下地板は、上側基板３１に固定される上側化粧下地板４３、左側基板３３に固定される左側化粧下地板６１（図６参照）、右側基板３５に固定される右側化粧下地板６３（図６参照）、下側基板３７に固定される下側化粧下地板４５となる。
【００２５】
上側化粧下地板４３は、幅方向の上端に、ビス６５の挿通されるビス孔（図示略）が穿設される。上側化粧下地板４３は、幅方向の下端に、上側基板３１の爪部５１に係止する爪６７を有する。
【００２６】
下側化粧下地板４５は、幅方向の上端に、ビス６５の挿通されるビス孔（図示略）が穿設される。下側化粧下地板４５は、幅方向の下端に、下側基板３７の爪部５１に係止する爪６７を有する。
【００２７】
図４は上側化粧下地板４３及び下側化粧下地板４５の取り付け後の側断面図である。
上側化粧下地板４３は、爪６７を、上側基板３１の爪部５１に係止するとともに、ビス孔に挿通したビス６５を上側基板３１のねじ固定片４１に固定することにより、上側基板３１を介して躯体１５に固定される。同様に、下側化粧下地板４５は、爪６７を、下側基板３７の爪部５１に係止するとともに、ビス孔に挿通したビス６５を下側基板３７のねじ固定片４１に固定することにより、下側基板３７を介して躯体１５に固定される。
【００２８】
このようにして躯体側に固定された化粧下地板の表面Ｓには、構造体の構成部材がねじ６９により固定（螺着）される。本実施形態において、構造体は、上記したシャッター装置１１となる。
【００２９】
図１に示すように、シャッター装置１１は、開口部１７の上方に取り付けられるシャッター収納部７１を有する。シャッター収納部７１には、複数のスラット７３を連結して構成したシャッターカーテン７５が収容可能となる。シャッターカーテン７５は、繰り出し方向の先端に、座板７７を有する。シャッター収納部７１には、シャッターカーテン７５を巻き取り・繰り出す開閉機７９（図２参照）が設けられる。シャッターカーテン７５は、開閉機７９により巻き取り・繰り出されることにより、開口部１７を昇降する。開口部１７を昇降するシャッターカーテン７５は、ガイドレール８１により昇降がガイドされる。本実施形態において、ガイドレール８１は、ガイドレール枠を介して躯体側に固定される。ガイドレール枠に支持されたガイドレール８１は、サッシ枠１３の左右で、サッシ枠１３より躯体１５から突出して配置される。
【００３０】
サッシ枠１３を挟んで左右両側に設けられる一対のガイドレール枠は、下端が下枠８３により連結される。下枠８３は、サッシ枠１３の下側で、サッシ枠１３より躯体１５から突出して配置される。ガイドレール８１に両側がガイドされて下降したシャッターカーテン７５は、座板７７が下枠８３に着座することにより、サッシ枠１３の外側で開口部１７を閉鎖する。
【００３１】
シャッター収納部７１，一対のガイドレール枠８９，９１，下枠８３は、構造体であるシャッター装置１１の構成部材となる。すなわち、本実施形態に係る建物開口部の構造体取付構造は、構造体が、シャッター装置１１であり、構成部材が、上側の化粧下地板４３に螺着されるシャッター収納部７１と、左右の化粧下地板６１，６３に螺着される一対のガイドレール枠８９，９１と、下側の化粧下地板４５に螺着される下枠８３と、の４部材からなる。
【００３２】
図５はシャッター収納部７１の取り付け説明図である。
シャッター装置１１は、図２に示すように、シャッター収納部７１が上側化粧下地板４３にビス６９により固定され、下枠８３が下側化粧下地板４５にビス６９により固定される。この際、シャッター収納部７１は、ブラケット８５を介して上側化粧下地板４３に固定される。ブラケット８５には、シャッター収納部７１を係止し支持する複数の掛け爪８７が設けられる。シャッター収納部７１は、ブラケット８５を上側化粧下地板４３にビス６９により固定した後、掛け爪８７に掛止し、さらに上縁部分をビス６９により上側化粧下地板４３に螺着される。
【００３３】
図６は左側化粧下地板６１及び左側ガイドレール枠８９と、右側化粧下地板６３及び右側ガイドレール枠９１の取り付け前の平断面図である。
左側基板３３は、固定ビス４７により躯体１５に固定される基板部９３を有する。左側基板３３は、基板部９３の幅方向（図６の左右方向）の右端に、サッシ枠１３に接するねじ固定片４１が起立する。ねじ固定片４１は、起立先端に、基板部９３と平行なねじ固定座部５３が形成される。また、左側基板３３は、基板部９３の幅方向の左側に、サイディング材２１に近接して係止片３９が起立する。係止片３９は、起立先端に、右向きの爪部５１を有する。左側基板３３は、係止片３９とサイディング材２１との隙間がストッパ材５５の上に充填されるコーキング剤５７により塞がれる。この左側基板３３には、左側化粧下地板６１が上記と同様に固定される。左側化粧下地板６１の表面Ｓには、左側ガイドレール枠８９が固定される。
【００３４】
右側基板３５は、左側基板３３を左右反転した構造となる。右側基板３５の基板部９５には、右側化粧下地板６３が上記と同様に固定される。右側化粧下地板６３の表面Ｓには、右側ガイドレール枠９１が固定される。
【００３５】
図７は左側化粧下地板６１及び左側ガイドレール枠８９と、右側化粧下地板６３及び右側ガイドレール枠９１の取り付け後の平断面図である。
左側化粧下地板６１及び右側化粧下地板６３に固定された左右のガイドレール枠８９，９１は、躯体１５からの突出方向先端側でガイドレール８１を支持する。左右のガイドレール８１に両側が案内されたシャッターカーテン７５は、サッシ枠１３から外側に離間した位置で昇降する。
【００３６】
本実施形態に係る建物開口部の構造体取付構造は、化粧下地板の表面Ｓが、サイディング材２１の仕上げ面に合わせた意匠面で形成される。
【００３７】
上述した各基板３１，３３，３５，３７、化粧下地板４３，４５，６１，６３は、例えばアルミ押出成形品とすることができる。
【００３８】
図８は構造体がオーニング装置９７である場合の建物開口部の構造体取付構造を表す側断面図である。
なお、構造体は、シャッター装置１１の他に、例えばオーニング装置９７などであってもよい。オーニング装置９７は、収納部９９を有する。収納部９９には、巻取軸１０１が設けられる。また、収納部９９には、複数の展張アーム１０３の基端が支持される。展張アーム１０３は、収納部９９に対して伸縮可能となる。展張アーム１０３には、巻取軸１０１に巻回された遮光シート１０７などが固定される。オーニング装置９７は、伸縮機構（図示略）により展張アーム１０３が伸長されることにより、開口部１７の上方に庇状に張り出す。また、オーニング装置９７は、伸縮機により展張アーム１０３を短縮するとともに、巻取軸１０１により遮光シート１０７を巻き取ることにより、庇を畳む。建物開口部の構造体取付構造は、このようなオーニング装置９７の収納部９９が、取付ブラケット１０５などを介して上側化粧下地板４３に固定されてもよい。
【００３９】
次に、上記した構成の作用を説明する。
本実施形態に係る建物開口部の構造体取付構造では、建物の開口部１７が、躯体１５から突出する四角形のサッシ枠１３により囲まれる。躯体１５には、サッシ枠１３の外周を囲む間隙（上側間隙２３、左側間隙２５、右側間隙２７、下側間隙２９）を介してサイディング材２１が施工される。サッシ枠１３の突出先端は、サイディング材２１の表面よりも躯体１５から突出する。
【００４０】
サッシ枠１３の各辺に沿う４つの間隙２３，２５，２７，２９の底で表出する躯体１５には、４つの基板（上側基板３１、下側基板３７、左側基板３３、右側基板３５）が固定される。それぞれの基板３１，３７，３３，３５には、係止片３９及びねじ固定片４１が設けられる。これらの基板３１，３７，３３，３５の係止片３９及びねじ固定片４１には、化粧下地板（上側化粧下地板４３、左側化粧下地板６１、右側化粧下地板６３、下側化粧下地板４５）が固定される。基板３１，３７，３３，３５に固定された化粧下地板４３，６１，６３，４５は、サイディング材２１とサッシ枠１３との間隙２３，２５，２７，２９を塞ぐ。
【００４１】
４つの間隙２３，２５，２７，２９を塞いだそれぞれの化粧下地板４３，６１，６３，４５の表面Ｓは、サイディング材２１の表面と略面一となる。サッシ枠１３とサイディング材２１との間隙で表出する躯体１５を覆った化粧下地板４３，６１，６３，４５は、サイディング材２１と略面一となることにより、サイディング材２１から連続して延出してサッシ枠１３の外周に突き当てられる。このため、化粧下地板４３，６１，６３，４５は、取り付けられたままの状態でも違和感が生じない。
【００４２】
この化粧下地板４３，６１，６３，４５には、構造体１１の各構成部材が、ねじ固定（螺着）可能となる。構造体１１は、予め間隙２３，２５，２７，２９に施工した化粧下地板４３，６１，６３，４５に対して取り付けられる。
【００４３】
構造体１１は、交換が生じると、化粧下地板４３，６１，６３，４５から取り外される。この際、構造体１１は、化粧下地板４３，６１，６３，４５に対してのみの取り合いとなり、サイディング材２１とは縁が切れているので、当初仕上げられていたサイディング材２１を欠損等させずに済む。基板３１，３７，３３，３５は、躯体１５に残したままとする。このため、サイディング材２１を修復する必要がなくなり、構造体１１の交換に伴う付帯工事を簡略化できる。
【００４４】
また、構造体１１を撤去したままの状態とする場合においても、ねじ孔の空いた化粧下地板４３，６１，６３，４５のみを新規のものに交換すればよい。このため、新たに外壁を施工しなくても、躯体１５が表出せず、構造体１１の撤去に伴う付帯工事を簡略化できる。
【００４５】
また、本実施形態に係る建物開口部の構造体取付構造では、構造体が、シャッター装置１１となる。シャッター装置１１は、構成部材として、シャッター収納部７１と、一対のガイドレール枠と、下枠８３と、を有する。
【００４６】
シャッター収納部７１は、サッシ枠１３の上側に取り付けられる。一対のガイドレール枠８９，９１は、サッシ枠１３の左右に取り付けられる。下枠８３は、サッシ枠１３の下側に取り付けられる。このため、シャッター収納部７１は、サッシ枠１３の上側の間隙に固定された化粧下地板すなわち上側化粧下地板４３に固定される。一対のガイドレール枠８９，９１は、サッシ枠１３の左右の間隙に取り付けられた一対の化粧下地板すなわち左側化粧下地板６１と右側化粧下地板６３のそれぞれに固定される。下枠８３は、サッシ枠１３の下側の間隙に固定された化粧下地板すなわち下側化粧下地板４５に固定される。
【００４７】
これら、上側化粧下地板４３と、左側化粧下地板６１及び右側化粧下地板６３と、下側化粧下地板４５とは、構成部材であるシャッター収納部７１，ガイドレール枠８９，９１，下枠８３のそれぞれに応じ、延在方向に直交する幅寸法を変えて形成できる。これにより、建物の開口部１７の周囲に、サイディング材２１との縁を切りながら、シャッター装置１１の設置スペースを予め確保しておいたり、シャッター装置１１を設置や交換したりすることが可能となる。その結果、シャッター装置１１の構成部材であるシャッター収納部７１，一対のガイドレール枠８９，９１及び下枠８３を撤去した際の外壁面であるサイディング材２１の修復を容易にすることができる。
【００４８】
また、本実施形態に係る建物開口部の構造体取付構造では、サイディング材２１と略面一で連続する化粧下地板４３，４５，６１，６３の表面Ｓが、サイディング材２１の仕上げ面に合わせた意匠面で形成される。仕上げ面に合わせた意匠面は、例えば仕上げ面と同色とすることができる。また、意匠面は、例えば仕上げ面と同等の質感とすることができる。同等の質感の意匠面は、例えば仕上げ面と同一の素材を用いることができる。また、同等の質感の意匠面は、例えば仕上げ面と同色且つ同一の表面粗さ等とすることができる。その結果、サイディング材２１と化粧下地板４３，４５，６１，６３とに違和感が生じにくくなり、開口部１７の周囲の見栄えの低下が抑制でき、化粧下地板４３，４５，６１，６３を取り付けたままとすることが可能となる。
【００４９】
なお、意匠面は、仕上げ面と同色である必要はない。意匠面は、デザイン的、美観的に違和感の生じないものであれば、例えば仕上げ面と補色関係にある色としてもよい。また、意匠面は、金属の表面にヘアーライン、梨地、或いはシボ加工等を施した仕上げ面としてもよい。
【００５０】
なお、各化粧下地板４３，４５，６１，６３は、幅長を同じにしてもよい。上述の実施形態では、シャッター収納部７１を固定する上側化粧下地板４３の幅を大きくしたが、化粧下地板は、全て（上下左右）が同じ幅で構成してもよい。これにより、見栄えよくすることが可能となる。
【００５１】
従って、本実施形態に係る建物開口部の構造体取付構造によれば、建物の外壁面としての外壁仕上げ材２１と構造体１１が取り付けられている面Ｓとは縁が切れて構成され、構造体１１を取り外す際には、構造体１１の取り付けられる化粧下地板４３，４５，６１，６３とともに建物側から取り外すこととなり、その取り外しの際に外壁仕上げ材２１の欠損等を起こすことがなくなる。取り外された構造体１１に替わり新規の構造体１１を取り付ける際には、化粧下地板４３，４５，６１，６３が新たに用意され躯体側に既に固定されている基板３１，３３，３５，３７へ取り付けられることから、構造体１１の取り付け時に既設のねじ孔などが無く、取り付け施工の支障が起きない。このため、外壁仕上げ材２１を修復する必要がなく、構造体１１の交換に伴う付帯工事を簡略化できることとなる。また、構造体１１を撤去したままの状態とする場合においても、ねじ孔の空いた化粧下地板４３，４５，６１，６３のみを新規のものに交換すればよい。このため、新たに外壁を施工しなくても、躯体１５が表出せず、構造体１１の撤去に伴う付帯工事を簡略化できる。
【符号の説明】
【００５２】
１１…構造体（シャッター装置）
１３…枠材（サッシ枠）
１５…躯体
１７…開口部
２１…外壁仕上げ材（サイディング材）
２３…間隙（上側間隙）
２５…間隙（左側間隙）
２７…間隙（右側間隙）
２９…間隙（下側間隙）
３１…基板（上側基板）
３３…基板（左側基板）
３５…基板（右側基板）
３７…基板（下側基板）
３９…係止片
４１…ねじ固定片
４３…化粧下地板（上側化粧下地板）
４５…化粧下地板（下側化粧下地板）
６１…化粧下地板（左側化粧下地板）
６３…化粧下地板（右側化粧下地板）
７１…構成部材（シャッター収納部）
８３…構成部材（下枠）
８９…構成部材（左側ガイドレール枠）
９１…構成部材（右側ガイドレール枠）
Ｓ…表面
【図１】
2020033703.tif 000003
【図２】
2020033703.tif 000004
【図３】
2020033703.tif 000005
【図４】
2020033703.tif 000006
【図５】
2020033703.tif 000007
【図６】
2020033703.tif 000008
【図７】
2020033703.tif 000009
【図８】
2020033703.tif 000010